(57)【要約】【課題】フィルム状の光学フィルタを貼り付けた場合であっても、光学フィルタから筐体への導通を確保することができ、電磁波によるノイズの低減効果を維持することができるプラズマ表示装置を提供する。【解決手段】プラズマディスプレイパネルの表示面に、フィルム状光学フィルタを貼り付けており、フィルム状光学フィルタは電磁波遮断層２３を含み、電磁波遮断層２３の周縁部に、電磁波遮断層２３とプラズマディスプレイパネルを保護する筐体１４に設けた導体部１４ａとを接続する電気的接続領域を有するプラズマ表示装置において、電磁波遮断層２３の周縁部と筐体１４に設けた導体部１４ａとの間に、弾性を有し、電磁波遮断層２３の周縁部と筐体１４との間の距離よりも大きい厚さを有する導電体２６を備え、電磁波遮断層２３と筐体１４に設けた導体部１４ａとを接続する。【選択図】        図２
2005017534.tif 000002
【特許請求の範囲】
【請求項１】
プラズマディスプレイパネルの表示面に、フィルム状光学フィルタを貼り付けており、前記フィルム状光学フィルタは電磁波遮断層を含み、前記電磁波遮断層の周縁部に、電磁波遮断層と前記プラズマディスプレイパネルを保護する筐体に設けた導体部とを接続する電気的接続領域を有するプラズマ表示装置において、
前記電磁波遮断層の周縁部と前記筐体に設けた導体部との間に、弾性を有し、前記電磁波遮断層の周縁部と前記筐体との間の距離よりも大きい厚さを有する導電体を備え、前記電磁波遮断層と前記筐体に設けた導体部とを接続することを特徴とするプラズマ表示装置。
【請求項２】
前記導電体は、金属で形成され、前記プラズマディスプレイパネルの画像表示領域に対応する開口部を設けた額縁形状を有することを特徴とする請求項１記載のプラズマ表示装置。
【請求項３】
前記導電体は、導電性を有する金属箔または金属繊維で表面が被覆されている合成樹脂で形成され、前記プラズマディスプレイパネルの画像表示領域に対応する開口部を設けた額縁形状を有することを特徴とする請求項１記載のプラズマ表示装置。
【請求項４】
前記電気的接続領域は、前記フィルム状光学フィルタから露出していることを特徴とする請求項１から３のいずれか一項に記載のプラズマ表示装置。
【請求項５】
前記フィルム状光学フィルタは、前記電磁波遮断層と前記プラズマディスプレイパネルとの間に他の層を有し、該他の層は電磁波遮断層と対応する広さを有することを特徴とする請求項４記載のプラズマ表示装置。
【請求項６】
前記フィルム状光学フィルタは、前記電磁波遮断層が他の層よりも広く、前記電磁波遮断層の周縁部と前記プラズマディスプレイパネルとの間に、前記電磁波遮断層の周縁部を支持する絶縁性を有する支持体を備えることを特徴とする請求項５記載のプラズマ表示装置。
【請求項７】
前記支持体が取り外し自在であることを特徴とする請求項６記載のプラズマ表示装置。
【発明の詳細な説明】
【０００１】
【発明の属する技術分野】
本発明は、プラズマディスプレイパネルから放出される電磁波によるノイズ障害を低減するプラズマ表示装置に関する。
【０００２】
【従来の技術】
カラー表示を行うフラットタイプのディスプレイパネルとして、プラズマディスプレイパネルが広く普及しつつある。プラズマディスプレイパネルは、大型化及び薄型化の容易性、コントラストの高さ、反応速度の速さ、視野角の広さ等の優れた特徴を有する。
【０００３】
プラズマディスプレイパネルは、例えば多数の線状の電極が所定の間隔で配置された２枚のガラス基板を、該電極が相互に直交するように張り合わせ、両基板間にＮｅ（ネオン）とＸｅ（キセノン）とからなる混合ガス等を充填した構造を有する。各電極の交叉点に放電セルが構成され、該放電セル内で放電により生じた紫外線がガラス基板に設けた蛍光体に当たることによって、可視光が出射される。
【０００４】
従来の典型的なプラズマ表示装置としては、例えば特許文献１に開示されているような構成が挙げられる。図７は、従来のプラズマディスプレイパネルを備えたプラズマ表示装置を模式的に示す側断面図である。図７では、プラズマディスプレイパネル１０１の画像表示面を左側とし、プラズマディスプレイパネル１０１は直方体状の筺体１０６に格納されている。
【０００５】
プラズマディスプレイパネル１０１は、画像表示面の反対側に配置されている支持基板１０４に固定されている。支持基板１０４のプラズマディスプレイパネル１０１が固定されている反対側の面には、電源回路１０５及び各種回路が搭載された回路搭載基板１０３が取り付けられている。
【０００６】
支持基板１０４は、裏面パネル（リアカバーともいう）１０７に固定されており、該裏面パネル１０７が筐体１０６に取り付けられている。筐体１０６の上部には冷却用のファンが設置されている。
【０００７】
プラズマディスプレイパネル１０１の画像表示面には、フィルム状の光学フィルタ１０２が装着されている。筐体１０６の前面枠（フロントカバーともいう）１０６ｂには、プラズマディスプレイパネル１０１の画像表示領域に対応した開口部１０６ａが設けられている。
【０００８】
図８は、フィルム状の光学フィルタ１０２の電気的接続領域（以下、バスバー領域という）とプラズマディスプレイパネル１０１の画像表示領域１０１ａとの関係の説明図である。図８に示すように、フィルム状の光学フィルタ１０２は、プラズマディスプレイパネル１０１の画像表示領域１０１ａよりも広く、画像非表示領域１０１ｂを含む領域よりも狭い長方形状を有する多層フィルムである。プラズマディスプレイパネル１０１の画像非表示領域１０１ｂに対応するフィルム状の光学フィルタ１０２の周縁部をバスバー領域１０２ｅとする。プラズマディスプレイパネル１０１を筐体１０６に押し付けるように装着することで、該バスバー領域１０２ｅは、前面枠１０６ｂの裏面に設けられている導体部（図示せず）と電気的に接続される。
【０００９】
プラズマディスプレイパネル１０１から放射される電磁波は、フィルム状の光学フィルタ１０２で電流に変換される。変換された電流をバスバー領域１０２ｅを介して筐体１０６の導体部に流すことで、プラズマディスプレイパネル１０１から放射される電磁波によるノイズを低減している。つまり、フィルム状の光学フィルタ１０２によって、プラズマディスプレイパネル１０１から放射される電磁波が遮断される。
【００１０】
図９にフィルム状の光学フィルタ１０２の側断面構成図を示す。図９に示すように、フィルム状の光学フィルタ１０２は、透明な接着層１０２ｂ、１０２ｄを介した多層構造を有する。すなわち、プラズマディスプレイパネル１０１に接着層１０２ｄを介して電磁波遮断層１０２ｃとして透明導電フィルム等を貼り付け、接着層１０２ｂを介して反射率調整層１０２ａとして反射防止フィルム等を貼り付けている。
【００１１】
電磁波遮断層１０２ｃは、反射率調整層１０２ａ及び接着層１０２ｂよりも広い面積を有する長方形状を有し、電磁波遮断層１０２ｃの周縁部であり、かつ他の層と重ならずに露出している領域がバスバー領域１０２ｅとなる。
【００１２】
電磁波遮断層１０２ｃは、ポリエチレンテレフタレート（ＰＥＴ）を基体シートとし、ＩＴＯ（インジウムとスズとの合金酸化膜）を成膜したものを用いる。ただし、これらの材質に限定されるものではない。
【００１３】
【特許文献１】
特開２００１−３４３８９８号公報
【００１４】
【発明が解決しようとする課題】
しかし、特許文献１に開示されているような従来のプラズマ表示装置では、電磁波遮断層１０２ｃの材質が可撓性を有することから、振動等の外力によって撓みやすく、フィルム状の光学フィルタ１０２の周縁部にあるバスバー領域１０２ｅと筐体１０６の前面枠１０６ｂの裏面に設けられている導体部との電気的接続が、電磁波遮断層１０２ｃの撓みにより生じる接触不良等により断たれるおそれがあった。
【００１５】
すなわち、電磁波遮断層１０２ｃにおけるバスバー領域１０２ｅがプラズマディスプレイパネル１０１側へ撓むことによって、導体部とバスバー領域１０２ｅとの間の距離が離れ、導体部とバスバー領域１０２ｅとの電気的な接続が断たれる。この場合、プラズマディスプレイパネル１０１から放射される電磁波がフィルム状の光学フィルタ１０２上で電流に変換されたとしても、変換された電流をバスバー領域１０２ｅを介して筐体１０６の導体部に流すことができず、放射される電磁波によるノイズを低減することができない。
【００１６】
また、フィルム状の光学フィルタ１０２をプラズマディスプレイパネル１０１に貼り付ける場合、例えば線状の電極に断線が生じる等の導通障害発生時におけるメンテナンスを行うには、貼り付けているフィルム状の光学フィルタ１０２を一部剥離させる必要が生じる。そのため、フィルム状の光学フィルタ１０２の周縁部に接着層を設けない構造としているが、斯かる構造とすることにより、電磁波遮断層１０２ｃの周縁部とプラズマディスプレイパネル１０１との間に空隙が生じ、電磁波遮断層１０２ｃの撓みを抑制することができない。
【００１７】
本発明は斯かる事情に鑑みてなされたものであり、フィルム状の光学フィルタを貼り付けた場合であっても、光学フィルタから筐体への導通を確保することができ、電磁波によるノイズの低減効果を維持することができるプラズマ表示装置を提供することを目的とする。
【００１８】
また、本発明は、フィルム状の光学フィルタを貼り付けた場合であっても、電極断線等の障害のリペアを容易に行うことができるプラズマ表示装置を提供することを目的とする。
【００１９】
【課題を解決するための手段】
上記目的を達成するために第１発明に係るプラズマ表示装置は、プラズマディスプレイパネルの表示面に、フィルム状光学フィルタを貼り付けており、前記フィルム状光学フィルタは電磁波遮断層を含み、前記電磁波遮断層の周縁部に、電磁波遮断層と前記プラズマディスプレイパネルを保護する筐体に設けた導体部とを接続する電気的接続領域を有するプラズマ表示装置において、前記電磁波遮断層の周縁部と前記筐体に設けた導体部との間に、弾性を有し、前記電磁波遮断層の周縁部と前記筐体との間の距離よりも大きい厚さを有する導電体を備え、前記電磁波遮断層と前記筐体に設けた導体部とを接続することを特徴とする。
【００２０】
第１発明に係るプラズマ表示装置では、光学フィルタの電気的接続領域と筐体に設けた導体部との間に、弾性を有し、常態の厚さが両者間の距離よりも大きい導電体を挟み込んでいることから、電磁波遮断層がプラズマディスプレイパネル側に撓んだ場合、導電体の有する弾性力によって導電体が常態の厚さに戻ろうとする。したがって、撓みによって光学フィルタの電気的接続領域と筐体に設けた導体部との間の距離が離れた場合であっても、接触不良等による電気的接続障害を未然に防止することができ、電磁波によるノイズ障害の低減効果を維持することが可能となる。
【００２１】
また、第２発明に係るプラズマ表示装置は、第１発明において、前記導電体は、金属で形成され、前記プラズマディスプレイパネルの画像表示領域に対応する開口部を設けた額縁形状を有することを特徴とする。
【００２２】
第２発明に係るプラズマ表示装置では、光学フィルタの電気的接続領域と筐体に設けた導体部との間に、常態の厚さが両者間の距離よりも大きい導電体を挟み込み、該導電体が弾性を有することから、電磁波遮断層がプラズマディスプレイパネル側に撓んだ場合、導電体の有する弾性力によって導電体が常態の厚さに戻ろうとする。したがって、撓みによって光学フィルタの電気的接続領域と筐体の導体部との間の距離が離れた場合であっても、接触不良等による電気的接続障害を未然に防止することができ、電磁波によるノイズ障害の低減効果を維持することが可能となる。
【００２３】
また、第３発明に係るプラズマ表示装置は、第１発明において、前記導電体は、導電性を有する金属箔または金属繊維で表面が被覆されている合成樹脂で形成され、前記プラズマディスプレイパネルの画像表示領域に対応する開口部を設けた額縁形状を有することを特徴とする。
【００２４】
第３発明に係るプラズマ表示装置では、光学フィルタの電気的接続領域と筐体に設けた導体部との間に、常態の厚さが両者間の距離よりも大きい導電体を挟み込み、該導電体が弾性を有することから、電磁波遮断層がプラズマディスプレイパネル側に撓んだ場合、導電体の有する弾性力によって導電体が常態の厚さに戻ろうとする。したがって、撓みによって光学フィルタの電気的接続領域と筐体に設けた導体部との間の距離が離れた場合であっても、接触不良等による電気的接続障害を未然に防止することができ、電磁波によるノイズ障害の低減効果を維持することが可能となる。
【００２５】
また、第４発明に係るプラズマ表示装置は、第１発明ないし第３発明において、前記電気的接続領域は、前記フィルム状光学フィルタから露出していることを特徴とする。
【００２６】
第４発明に係るプラズマ表示装置では、電気的接続領域がフィルム状光学フィルタから露出していることから、筺体に設けた導体部と電気的接続部との間に弾性を有する導電体を容易に接続することができ、電磁波遮断層の周縁部が振動等の外力によって撓んだ場合であっても、導電体が弾性力によって厚さを常態の厚さに戻そうとするので、撓みによって光学フィルタの電気的接続領域と筐体に設けた導体部との間の距離が離れた場合であっても、接触不良等による電気的接続障害を未然に防止することができ、電磁波によるノイズ障害の低減効果を維持することが可能となる。
【００２７】
また、第５発明に係るプラズマ表示装置は、第４発明において、前記フィルム状光学フィルタは、前記電磁波遮断層と前記プラズマディスプレイパネルとの間に他の層を有し、該他の層は電磁波遮断層と対応する広さを有することを特徴とする。
【００２８】
第５発明に係るプラズマ表示装置では、電磁波遮断層とプラズマディスプレイパネルとの間に光学フィルタの他の層が存在することから、電磁波遮断層がプラズマディスプレイパネル側に撓む量を軽減することができる。したがって、接触不良等による電気的接続障害をより確実に防止することができ、電磁波によるノイズ障害の低減効果を維持することが可能となる。
【００２９】
また、第６発明に係るプラズマ表示装置は、第５発明において、前記フィルム状光学フィルタは、前記電磁波遮断層が他の層よりも広く、前記電磁波遮断層の周縁部と前記プラズマディスプレイパネルとの間に、前記電磁波遮断層の周縁部を支持する絶縁性を有する支持体を備えることを特徴とする。
【００３０】
第６発明に係るプラズマ表示装置では、支持体によって光学フィルタの電磁波遮断層がプラズマディスプレイパネル側に撓む量をより軽減することができる。したがって、接触不良等による電気的接続障害をより確実に防止することができ、電磁波によるノイズ障害の低減効果を維持することが可能となる。
【００３１】
また、第７発明に係るプラズマ表示装置は、第６発明において、前記支持体が取り外し自在であることを特徴とする。
【００３２】
第７発明に係るプラズマ表示装置では、支持体を取り外すことによって、電磁波遮断層の周縁部とプラズマディスプレイパネルの周縁部との間に空隙を設けることができることから、リペア線をプラズマディスプレイパネルの画面非表示領域上に配線することが容易であり、フィルム状光学フィルタの剥離作業等が生じることなく、容易にリペア処理を行うことが可能となる。
【００３３】
【発明の実施の形態】
以下、本発明をその実施の形態を示す図面に基づいて具体的に説明する。
【００３４】
（実施の形態１）
図１は本発明の実施の形態１に係るプラズマ表示装置の概略構成を示す側断面図である。図１ではプラズマディスプレイパネル１１の画像表示部分に対応する筐体１４の開口部を左側とし、プラズマディスプレイパネル１１には、画像表示領域を覆うようにフィルム状の光学フィルタ１３を貼り付けている。電源回路や各種の制御回路は、光学フィルタ１３を貼り付けている側とは反対側に配置され、回路部１２として模式的に示している。プラズマディスプレイパネル１１は、フロントカバーとリアカバーとからなる筐体１４によって、フィルム状の光学フィルタ１３を貼り付けた状態で固定される。
【００３５】
本実施の形態１の特徴部分は、図１の破線で囲まれた部分１の構造にある。図２に、図１の破線で囲まれた部分１の構成を示す拡大側断面図を示す。
【００３６】
図２において、プラズマディスプレイパネル１１には、接着層２１を介して、色調整層２２、電磁波遮断層２３、反射率調整層２４からなる多層フィルムで構成される光学フィルタ１３を貼り付ける。
【００３７】
接着層２１は、透明なアクリル系接着剤を用いる。色調整層２２は、所定の波長の発光スペクトル（例えばＮｅ（ネオン）発光スペクトルである５９５ｎｍの波長）を吸収する色素を含有する。色調整層２２を用いることで、オレンジ色成分を低減し、画面表示における赤色純度を向上させることができる。
【００３８】
電磁波遮断層２３は、ポリエチレンテレフタレート（ＰＥＴ）を基体シートとし、ＩＴＯ（インジウムとスズとの合金酸化膜）や銀を成膜したもの、またはメッシュ状に形成された金属膜を用い、電磁波を電流に変換する。反射率調整層２４は、表示面に外光が差し込んだ場合に映像コントラストが低下して画面が見にくくなるのを防止する。
【００３９】
反射率調整層２４及び色調整層２２は、プラズマディスプレイパネル１１の画像表示領域１１ａを略覆うように設ける。それに対して、電磁波遮断層２３はプラズマディスプレイパネル１１の画像表示領域１１ａだけでなく、画像非表示領域１１ｂまで略覆うように設けており、電磁波遮断層２３の露出部分がバスバー領域２５となる。該バスバー領域２５と筐体１４の裏面に設けた導体部１４ａとの間に挟みこむように、弾性を有する導電体２６を取り付ける。
【００４０】
導電体２６の常態での厚さは、バスバー領域２５と筐体１４に設けた導体部１４ａとの間の距離よりも大きい。したがって、導電体２６が挟み込まれた状態では、導電体２６は両者により厚さ方向に圧縮された状態であり、電磁波遮断層２３に対してプラズマディスプレイパネル１１側へ弾性反力が付与された状態となる。
【００４１】
電磁波遮断層２３の材質は可撓性を有することから、振動等の外力により、電磁波遮断層２３がプラズマディスプレイパネル１１の画像非表示領域１１ｂ側へ撓むおそれがある。しかし、導電体２６は弾性を有し、取り付け時に筐体１４と電磁波遮断層２３とで厚さ方向に圧縮された状態であることから、電磁波遮断層２３がプラズマディスプレイパネル１１の画像非表示領域１１ｂ側へ撓んだ場合、導電体２６が弾性により常態の厚さへ戻ろうとし、導電体２６と電磁波遮断層２３上のバスバー領域２５との接触が絶たれることがない。したがって、電磁波遮断層２３が撓むことにより生じる接触不良等を原因とする導通障害が発生することを防止することができ、電磁波によるノイズの低減効果を維持することが可能となる。
【００４２】
なお、弾性を有する導電体２６の材質としては、バネ状に加工した金属等の導体、あるいは金属箔又は金属繊維で周囲を被覆されている弾性を有するスポンジ等の合成樹脂が好ましい。ただし、これらに限定されるものではなく、電気的に導通可能であり、かつ弾性を有する材料であれば良い。
【００４３】
図３にプラズマディスプレイパネル１１を用いた表示装置の組み立て部品の概略構成図を示す。図３に示すように、プラズマディスプレイパネル１１にフィルム状の光学フィルタ１３を貼り付け、光学フィルタ１３のバスバー領域２５上に組み込むように弾性を有する導電体２６を挟んで、筺体１４で保持する。したがって、弾性を有する導電体２６の形状は、製造工程における扱い易さの観点から、バスバー領域２５の形状に対応した額縁形状を有することが好ましく、導電体２６によりバスバー領域２５と筐体１４に設けた導体部１４ａとが電気的に接続される。額縁形状の導電体２６は、必ずしも構造的に連続体（分割不可能な構造）である必要はない。バスバー領域２５と筐体１４に設けた導体部１４ａとを電気的に確実に接続できればよく、例えばＬ字状の導電体を２つ組み合わせた額縁形状、または「コ」の字状のように一部に非連続部分を有する略額縁形状であってもよい。
【００４４】
プラズマディスプレイパネル１１の線状の電極に断線が生じた場合には、図４に示すようなリペア処理を施す。図４の例では、×印で示された位置で線状の電極４１が断線していることを示している。この場合、断線した線状の電極４１では、給電部４２に接続されている部分は発光することが可能である。それに対して、×印で示された位置を跨いで給電部４２と反対側の部分は、発光することができない。
【００４５】
図４では、リペア線４３を配線することで、斯かる発光障害を回復している。すなわち、プラズマディスプレイパネル１１の非表示領域１１ｂにリペア線４３を配線し、リペア線４３の一端を断線した線状の電極４１の給電部４２に接続されている部分に半田等により接続する。同様に、リペア線４３の他端を、断線した線状の電極４１の給電部４２に接続されていない部分に半田等により接続する。
【００４６】
このようにすることで、線状の電極４１の給電部４２に接続されていない部分にも、リペア線４３を介して給電部４２からの電圧を印加することができ、断線した線状の電極４１を発光不能状態から回復させることができる。
【００４７】
本実施の形態１では、バスバー領域２５を有する電磁波遮断層２３の周縁部とプラズマディスプレイパネル１１の画像非表示領域１１ｂとの間には、空隙が存在する。斯かる空隙にリペア線４３を容易に配線することができることから、フィルム状の光学フィルタ１３を剥離させることなく、断線した線状の電極４１に対するリペア処理を行うことが可能となり、メンテナンスを容易に行うことができる。
【００４８】
以上のように本実施の形態１によれば、弾性を有する導電体２６の存在により、電磁波遮断層２３がプラズマディスプレイパネル１１の画像非表示領域１１ｂ側へ撓んだ場合であっても、導電体２６が弾性により常態の厚さへ戻ろうとし、導電体２６と電磁波遮断層２３上のバスバー領域２５との接触が絶たれることがない。したがって、電磁波遮断層２３が撓むことにより生じる接触不良等を原因とする導通障害が発生することを防止することができ、電磁波によるノイズの低減効果を維持することが可能となる。
【００４９】
また、バスバー領域２５を有する電磁波遮断層２３の周縁部とプラズマディスプレイパネル１１の画像非表示領域１１ｂとの間に空隙が存在することから、リペア線４３を容易に配線することができ、フィルム状の光学フィルタ１３を剥離させることなく、断線した線状の電極４１に対するリペア処理を行うことが可能となる。
【００５０】
（実施の形態２）
以下、本発明の実施の形態２に係るプラズマ表示装置について、図面を参照しながら説明する。本実施の形態２の特徴部分は、図１の破線で囲まれた部分１の構造にある。図５に、図１の破線で囲まれた部分１の構成を示す拡大側断面図を示す。
【００５１】
図５において、プラズマディスプレイパネル１１には、接着層２１を介して、色調整層２２、電磁波遮断層２３、反射率調整層２４からなる多層フィルムで構成される光学フィルタ１３を貼り付ける。
【００５２】
反射率調整層２４は、プラズマディスプレイパネル１１の画像表示領域１１ａを略覆うように設けられ、プラズマディスプレイパネル１１の画像非表示領域１１ｂまで略覆う色調整層２２及び電磁波遮断層２３よりも狭い。したがって、電磁波遮断層２３の周縁部が露出し、露出している部分がバスバー領域２５となる。該バスバー領域２５と筐体１４の導体部１４ａとの間に挟みこむように、弾性を有する導電体２６を取り付ける。
【００５３】
導電体２６の常態での厚さは、バスバー領域２５と筐体１４の導体部１４ａとの間の距離よりも大きい。したがって、導電体２６が挟み込まれた状態では、導電体２６は両者により厚さ方向に圧縮された状態であり、電磁波遮断層２３に対してプラズマディスプレイパネル１１側への弾性力が付与された状態となる。
【００５４】
周縁部にバスバー領域２５を有する電磁波遮断層２３の材質が可撓性を有することから、振動等の外力により、電磁波遮断層２３がプラズマディスプレイパネル１１の画像非表示領域１１ｂ側へ撓むおそれがある。しかし、本実施の形態２では、色調整層２２を電磁波遮断層２３と同様の広さで設けていることから、電磁波遮断層２３がプラズマディスプレイパネル１１の画像非表示領域１１ｂ側へ撓む空隙が存在しないことから、撓み量を軽減することが可能となる。
【００５５】
また、導電体２６は弾性を有し、取り付け時に筐体１４と電磁波遮断層２３とで厚さ方向に圧縮された状態であることから、電磁波遮断層２３がプラズマディスプレイパネル１１の画像非表示領域１１ｂ側へ撓んだ場合、導電体２６が弾性により常態の厚さへ戻ろうとし、導電体２６と電磁波遮断層２３上のバスバー領域２５との接触が絶たれることがない。したがって、電磁波遮断層２３が撓むことにより生じる接触不良等を原因とする導通障害が発生することを防止することができ、電磁波によるノイズの低減効果を維持することが可能となる。
【００５６】
なお、弾性を有する導電体２６の材質としては、実施の形態１と同様、電気的に導通可能であり、かつ弾性を有する材料であれば良い。
【００５７】
以上のように本実施の形態２によれば、色調整層２２の存在により、電磁波遮断層２３がプラズマディスプレイパネル１１の画像非表示領域１１ｂ側へ撓む量をより軽減することができ、弾性を有する導電体２６の存在により、電磁波遮断層２３がプラズマディスプレイパネル１１の画像非表示領域１１ｂ側へ撓んだ場合であっても、導電体２６が弾性により常態の厚さへ戻ろうとし、導電体２６と電磁波遮断層２３上のバスバー領域２５との接触が絶たれることがない。したがって、電磁波遮断層２３が撓むことにより生じる接触不良等を原因とする導通障害が発生することを防止することができ、電磁波によるノイズの低減効果を維持することが可能となる。
【００５８】
なお、色調整層２２及び電磁波遮断層２３が、プラズマディスプレイパネル１１の画像非表示領域１１ｂを完全に覆わず、図５に示すように画像非表示領域１１ｂが一部露出している領域が存在する場合、該露出している領域をリペア領域としてリペア線４３を配線することができ、実施の形態１と同様に、フィルム状の光学フィルタ１３を剥離させることなく、断線した線状の電極４１に対するリペア処理を行うことが可能となる。
【００５９】
（実施の形態３）
以下、本発明の実施の形態３に係るプラズマ表示装置について、図面を参照しながら説明する。本実施の形態３の特徴部分は、図１の破線で囲まれた部分１の構造にある。図６に、図１の破線で囲まれた部分１の構成を示す拡大側断面図を示す。
【００６０】
図６において、プラズマディスプレイパネル１１には、実施の形態１と同様、接着層２１を介して、色調整層２２、電磁波遮断層２３、可視光反射率調整層２４からなる多層フィルムで構成される光学フィルタ１３を貼り付ける。
【００６１】
反射率調整層２４及び色調整層２２は、プラズマディスプレイパネル１１の画像表示領域１１ａを略覆うように設けられ、プラズマディスプレイパネル１１の画像非表示領域１１ｂまで略覆う電磁波遮断層２３よりも狭い。したがって、電磁波遮断層２３の周縁部が露出し、露出している部分がバスバー領域２５となる。該バスバー領域２５と筐体１４の導体部１４ａとの間に挟みこむように、弾性を有する導電体２６を取り付ける。
【００６２】
導電体２６の常態での厚さは、バスバー領域２５と筐体１４の導体部１４ａとの間の距離よりも大きい。したがって、導電体２６が挟み込まれた状態では、導電体２６は両者により厚さ方向に圧縮された状態であり、電磁波遮断層２３に対してプラズマディスプレイパネル１１側への弾性力が付与された状態となる。
【００６３】
本実施の形態３では、図６に示すように、バスバー領域２５を有する電磁波遮断層２３の周縁部を支持するべく、電磁波遮断層２３を支持する支持体３１を電磁波遮断層２３とプラズマディスプレイパネル１１の画像非表示部１１ｂとの間に挿入する。このようにすることで、振動等の外力により、電磁波遮断層２３がプラズマディスプレイパネル１１側へ撓む量をより軽減することが可能となる。
【００６４】
支持体３１の材質としては、電磁波遮断層２３とプラズマディスプレイパネル１１との間で電気的に導通しないように、合成樹脂等の絶縁性を有する材質であることが好ましい。なお、弾性を有する導電体２６の材質又は形状については、実施の形態１と同様である。
【００６５】
また、導電体２６は弾性を有し、取り付け時に筐体１４と電磁波遮断層２３とで厚さ方向に圧縮された状態であることから、電磁波遮断層２３がプラズマディスプレイパネル１１の画像非表示領域１１ｂ側へ撓んだ場合、導電体２６が弾性により常態の厚さへ戻ろうとし、導電体２６と電磁波遮断層２３上のバスバー領域２５との接触が絶たれることがない。したがって、電磁波遮断層２３が撓むことにより生じる接触不良等を原因とする導通障害が発生することを防止することができ、電磁波によるノイズの低減効果を維持することが可能となる。
【００６６】
弾性を有する導電体２６の材質としては、実施の形態１と同様、電気的に導通可能であり、かつ弾性を有する材料であれば良い。
【００６７】
また、支持体３１の形状及び構造については特に限定されるものではないが、脱着が容易な形状及び構造であることが好ましい。すなわち、プラズマディスプレイパネル１１の任意の線状の電極４１が断線した場合には、支持体３１を取り外し、プラズマディスプレイパネル１１の非表示領域１１ｂにリペア線４３を配線し、リペア線４３の一端を断線した線状の電極４１の給電部４２に接続されている部分に半田等により接続する。同様に、リペア線４３の他端を、断線した線状の電極４１の給電部４２に接続されていない部分に半田等により接続する。
【００６８】
このようにすることで、実施の形態１と同様、線状の電極４１の給電部４２に接続されていない部分にも、リペア線４３を介して給電部４２からの電圧を印加することができ、断線した線状の電極４１を発光不能状態から回復させることができる。
【００６９】
以上のように本実施の形態３によれば、支持体３１の存在により、電磁波遮断層２３がプラズマディスプレイパネル１１の画像非表示領域１１ｂ側へ撓む量をより軽減することができ、弾性を有する導電体２６の存在により、電磁波遮断層２３がプラズマディスプレイパネル１１の画像非表示領域１１ｂ側へ撓んだ場合であっても、導電体２６が弾性により常態の厚さへ戻ろうとし、導電体２６と電磁波遮断層２３上のバスバー領域２５との接触が絶たれることがない。したがって、電磁波遮断層２３が撓むことにより生じる接触不良等を原因とする導通障害が発生することを防止することができ、電磁波によるノイズの低減効果を維持することが可能となる。
【００７０】
また、支持体３１を取り外すことによって、電磁波遮断層２３の周縁部とプラズマディスプレイパネル１１の画像非表示領域１１ｂとの間に空隙を設けることができることから、リペア線４３を容易に配線することができ、フィルム状の光学フィルタ１３を剥離させることなく、断線した線状の電極４１に対するリペア処理を行うことが可能となる。
【００７１】
【発明の効果】
以上のように本発明に係るプラズマ表示装置によれば、弾性を有する導電体の存在により、電磁波遮断層がプラズマディスプレイパネルの画像非表示領域側へ撓んだ場合であっても、導電体が弾性により常態の厚さへ戻ろうとし、導電体と電磁波遮断層上のバスバー領域との接触が絶たれることがない。したがって、電磁波遮断層が撓むことにより生じる接触不良等を原因とする導通障害が発生することを防止することができ、電磁波によるノイズの低減効果を維持することが可能となる。
【００７２】
また、電磁波遮断層の周縁部とプラズマディスプレイパネルの画像非表示領域との間に、リペア線を容易に配線することができることから、フィルム状の光学フィルタを剥離させることなく、断線が生じた線状の電極に対するリペア処理を行うことができ、メンテナンスを容易に行うことが可能となる。
【図面の簡単な説明】
【図１】本発明の実施の形態１に係るプラズマ表示装置の概略構成を示す側断面図である。
【図２】本発明の実施の形態１に係るプラズマ表示装置における周縁部の拡大側断面図である。
【図３】本発明の実施の形態１に係るプラズマ表示装置における組み立て部品の概略構成図である。
【図４】本発明の実施の形態１に係るプラズマ表示装置におけるリペア処理の説明図である。
【図５】本発明の実施の形態２に係るプラズマ表示装置における周縁部の拡大側断面図である。
【図６】本発明の実施の形態３に係るプラズマ表示装置における周縁部の拡大側断面図である。
【図７】従来のプラズマディスプレイパネルを備えたプラズマ表示装置の側断面図である。
【図８】従来のプラズマディスプレイパネルにおけるバスバー領域とプラズマディスプレイパネルの画像表示領域との関係の説明図である。
【図９】従来のプラズマディスプレイパネルに貼付するフィルム状光学フィルタの側断面構成図である。
【符号の説明】
１１  プラズマディスプレイパネル
１１ａ  画像表示領域
１１ｂ  画像非表示領域
１２  回路部
１３  光学フィルタ
１４  筺体
１４ａ  導体部
２１  接着層
２２  色調整層
２３  電磁波遮断層
２４  反射率調整層
２５  バスバー領域
２６  導電体
３１  支持体
４１  線状の電極
４２  給電部
４３  リペア線
【図１】
2005017534.tif 000003
【図２】
2005017534.tif 000004
【図３】
2005017534.tif 000005
【図４】
2005017534.tif 000006
【図５】
2005017534.tif 000007
【図６】
2005017534.tif 000008
【図７】
2005017534.tif 000009
【図８】
2005017534.tif 000010
【図９】
2005017534.tif 000011